(57)【要約】【課題】ペン先部を先端に有した前軸とインキを直に収容する胴軸を着脱自在に連接してなり、前軸より離脱した胴軸の開口したインキ充填口よりインキを充填する構造の万年筆において、胴軸へインキを充填する際に、机上等の周辺をインキで汚すことのないように、かつインキの充填作業がスムーズにおこなわれ、充填したインキが前軸と胴軸の螺子嵌合部から流出しないようにするための補助具と万年筆をセットにして提供する。【解決手段】万年筆セットとして、胴軸に直にインキを充填する構造の万年筆と、前記万年筆の前軸と胴軸を略垂直に立てた状態で保持可能な、ペン先部を挿入する前軸用挿入孔と、インキ充填側と反対側を挿入する胴軸用挿入孔と、前記万年筆の胴軸にインキを充填するためのスポイトを載置するための凹部を設けた万年筆の軸筒立てスタンドと、前記万年筆の胴軸にインキを充填するためのスポイトと、容器に収容した潤滑剤とで構成する。【選択図】図６
2011073419.tif 000002
【特許請求の範囲】
【請求項１】
ペン先部を有した前軸とインキを直に収容する胴軸を着脱自在に連接してなり、前軸より離脱した胴軸の開口したインキ充填口よりインキを充填する構造の万年筆と、前記万年筆の前軸と胴軸を、スタンド本体の底面に対して略垂直に立てた状態で保持可能な、ペン先部を挿入する前軸用挿入孔と、インキ充填側と反対側を挿入する胴軸用挿入孔と、前記万年筆の胴軸にインキを充填するためのスポイトを載置するための凹部をスタンド本体に各々設けた万年筆の軸筒立てスタンドと、前記万年筆の胴軸にインキを充填するためのスポイトと、容器に収容した潤滑剤とからなる万年筆セット。
【請求項２】
前記万年筆の軸筒立てスタンドの前軸用挿入孔と胴軸用挿入孔に、前記前軸用挿入孔と胴軸用挿入孔に、底部を閉塞した洗浄可能な材質で形成した前軸用内カップ体と胴軸用内カップ体をそれぞれ着脱自在に挿着し、前軸用内カップ体または胴軸用内カップ体を介して前記万年筆の前軸と胴軸を挿入し、凹部に洗浄可能な材質で形成した受皿体を着脱自在に嵌着し、受皿体を介してスポイトを載置してなる、請求項１に記載の万年筆セット。
【請求項３】
前記万年筆、万年筆の軸筒立てスタンド、スポイトおよび潤滑剤を１つの収納箱に収納してなる、請求項１または２に万年筆セット。
【発明の詳細な説明】
【技術分野】
【０００１】
本発明は、万年筆セットに関し、詳しくは、インキ止め式万年筆と、該万年筆の前軸と胴軸を立てるためのスタンド、前記万年筆にインキを補給するためのスポイトと、潤滑剤とで構成された万年筆セットに関する。
【背景技術】
【０００２】
ペン先部を先端に有した前軸とインキを直に収容する胴軸を着脱自在に連接し、前軸より離脱した胴軸の開口したインキ充填口よりインキを充填する、いわゆる「インキ止め式万年筆」と言われている万年筆は、従来より知られている。
【０００３】
図２を用いてインキ止め式万年筆について詳述すると、インキ止め式万年筆１は、ペン４と櫛溝５を有したペン芯６とで構成されたペン先部７を有した前軸８と、該前軸８に螺子嵌合により着脱自在に連接したインキを直に収容する胴軸（後軸ともいう）９を着脱自在に連接し、前軸８より離脱した胴軸９の先端の開口したインキ充填口１０よりインキを充填する構造のものである。一般的に、胴軸９の内部には、前軸８の後端部８ａに形成したインキ導入口１１を開閉するための、先端に、前記インキ導入口１１の内壁面１２に密接に当接するシール部１３を設けた心棒１４を配してある。例えば、心棒１４は、胴軸９の後端部９ａに固着したパッキンホルダー１５に該パッキンホルダー１５に設けた前側弾性パッキン１６と後側弾性パッキン１７により密接に当接して移動可能に挿入し、心棒１４の後端を胴軸９の後端に配した尾冠１８に固定した螺子駒１９に挿通して、心棒１４の後端にナット２０を螺着することで、心棒１４を尾冠１８に連動して移動可能に設けてある。
【０００４】
筆記する際は、図２の（ｂ）に示すように、尾冠１８を胴軸９の後端から引き抜くように後退（図において右側）させ、心棒１４のシール部１３を前軸８のインキ導入口１１の内壁面１２より離間させてインキ導入口１１を開口し、胴軸９内のインキをペン先部７に供給する構造である。
【０００５】
インキ止め式万年筆１におけるインキの充填は、一般的には前軸８と胴軸９は螺子嵌合により着脱自在に連接してあるので、胴軸９の前軸８との螺子嵌合を緩めて胴軸９を前軸８より外し、図３に示すようなスポイト３０等でインキ瓶等（図示せず）よりインキを吸入し、そのインキを胴軸９に直に注ぎ込み充填する。
【０００６】
ところで、前記充填の際に、外した前軸は机上等に敷いた紙等の上に置き、胴軸を手に持ってインキを充填し、充填が終わると、スポイトを前記紙等の上に置いたりインキ瓶に挿したりして置き、前軸と胴軸の螺子嵌合を締めて完了する。
【０００７】
そのために、胴軸より外した前軸のペン先や前軸の胴軸との螺子嵌合のねじ部にインキが付着していたりすると、紙等にインキが付着し、さらには紙等を浸透して机上等を汚してしまうという問題があった。また、前記スポイト操作は片手操作となるために、インキ瓶のインキ残量が少ない場合にはインキ瓶を傾ける必要があるが、もう一方の片手は胴軸を持っているため、インキ瓶等よりインキをスポイトで吸入する際も、場合によっては操作がし難いという問題があった。また、胴軸にインキを充填の際に、スポイトの外周にインキが付着した状態で胴軸にインキを充填し続けると、胴軸のインキ充填口がインキで汚れてしまい、スポイトの外周に付着したインキを拭こうとすると、スポイトを胴軸を持った方の片手に持ち紙等でスポイトの外周を拭かなければならなく、操作性が悪く、場合によっては胴軸に充填したインキを零して、周りをインキで汚してしまうという問題もあった。
【０００８】
また前記したように、インキ止め式万年筆においては、前軸８と胴軸９を螺子嵌合により着脱自在に連接してあり、前軸８と胴軸９のを螺子嵌合部２１からインキが流出するのを防止するために、螺子嵌合部の前方または後方の前軸と胴軸との間に弾性体のパッキン部材２２を配してあるが、インキ止め式万年筆にインキを充填した際に、前軸と胴軸の螺子嵌合を強く締めないと、前記螺子嵌合からインキがもれるという心配があり、強く締め付け過ぎると螺子嵌合を緩める際に固すぎて緩め難いという問題が生じてしまうという問題もある。
【０００９】
インキ止め式万年筆においては、胴軸筒にインキを充填する際に前記したような諸問題があり、インキ充填の作業が煩わしいものとなっていた。本願発明者は、従来より知られている技術である、前者の問題では、ペンスタンドをインキ吸入の際の万年筆の軸筒用スタンドとして提供することで、また後者の問題では、潤滑性と気密性を確保するために潤滑剤と弾性パッキンとの組み合わせの技術（例えば、特開２００１−３２８３９０号公報に開示）を利用することで、各々の問題を解決することができるがことに着目し、本発明に至った。
【先行技術文献】
【特許文献】
【００１０】
【特許文献１】実開平５−９５７８２号公報
【特許文献２】実開平６−８６９８５号公報
【特許文献３】特開２００１−３２８３９０号公報
【発明の概要】
【発明が解決しようとする課題】
【００１１】
本発明が解決しようとする課題は、ペン先部を先端に有した前軸とインキを直に収容する胴軸を着脱自在に連接してなり、前軸より離脱した胴軸の開口したインキ充填口よりインキを充填する構造の万年筆において、胴軸へインキを充填する際に、机上等の周辺をインキで汚すことのないように、かつインキの充填作業がスムーズにおこなわれ、充填したインキが前軸と胴軸の螺子嵌合部から流出しないようにするための補助具と万年筆をセットにして提供するものである。
【課題を解決するための手段】
【００１２】
本発明は、
「１．ペン先部を有した前軸とインキを直に収容する胴軸を着脱自在に連接してなり、前軸より離脱した胴軸の開口したインキ充填口よりインキを充填する構造の万年筆と、前記万年筆の前軸と胴軸を、スタンド本体の底面に対して略垂直に立てた状態で保持可能な、ペン先部を挿入する前軸用挿入孔と、インキ充填側と反対側を挿入する胴軸用挿入孔と、前記万年筆の胴軸にインキを充填するためのスポイトを載置するための凹部をスタンド本体に各々設けた万年筆の軸筒立てスタンドと、前記万年筆の胴軸にインキを充填するためのスポイトと、容器に収容した潤滑剤とからなる万年筆セット。
２．前記万年筆の軸筒立てスタンドの前軸用挿入孔と胴軸用挿入孔に、前記前軸用挿入孔と胴軸用挿入孔に、底部を閉塞した洗浄可能な材質で形成した前軸用内カップ体と胴軸用内カップ体をそれぞれ着脱自在に挿着し、前軸用内カップ体または胴軸用内カップ体を介して前記万年筆の前軸と胴軸を挿入し、凹部に洗浄可能な材質で形成した受皿体を着脱自在に嵌着し、受皿体を介してスポイトを載置してなる、前記１項に記載の万年筆セット。
３．前記万年筆、万年筆の軸筒立てスタンド、スポイトおよび潤滑剤を１つの収納箱に収納してなる、前記１項または２項に万年筆セット。」
【００１３】
本発明における潤滑剤は、粘度が高く流動性がないものがよく、グリースやワックスなどがある。具体的には、シリコングリースやフッ素グリース等がある。
【発明の効果】
【００１４】
本発明は前記したような構造なので、ペン先部を先端に有した前軸とインキを直に収容する胴軸を着脱自在に連接してなり、前軸より離脱した胴軸の開口したインキ充填口よりインキを充填する構造の万年筆の胴軸にインキを充填する際に、周辺をインキで汚すことのないように、また、前軸と胴軸の螺子嵌合が強すぎて前軸から胴軸を離脱させ難かったりしてインキ充填の作業が煩わしいものとならないように、また、螺子嵌合が緩すぎて、螺子嵌合部からインキが流出したりして万年筆がインキで汚れたりしないようにするための補助具を万年筆とともに提供することで、前記万年筆へのインキ充填の際に発生する、インキによる汚れや作業性の悪さを解消することができる。
【００１５】
請求項２に係る発明とすることで、前記万年筆の前軸や胴軸を前軸用内カップ体や胴軸用内カップ体に挿入した際に、インキが前軸用内カップ体や胴軸用内カップ体に付着しても、前軸用内カップ体や胴軸用内カップ体を前軸用挿入孔や胴軸用挿入孔より取り出して容易に洗浄することができるので、万年筆の前軸や胴軸を挿入することにより、逆に前軸や胴軸をインキで汚してしまうことを防止することができる。また、インキで汚れたスポイトを受皿体に載置しても、受皿体を外して洗浄すれば、受皿体に付着したインキが万年筆やスポイトに付着し、指や手をインキで汚すことがない。
【００１６】
請求項３に係る発明とすることで、万年筆、万年筆の軸筒立てスタンド、スポイトおよび潤滑剤を、ひとまとめにして保管することができ、万年筆へのインキの充填の際に、各部材を探す手間が省ける。
【図面の簡単な説明】
【００１７】
【図１】本発明の万年筆セットにおける実施例のインキ止め式万年筆の正面図である。
【図２】図１におけるインキ止め式万年筆の万年筆本体の拡大断面図で、（ａ）は非筆記時の状態を示す図で、（ｂ）は筆記時の状態を示す図である。
【図３】本発明の万年筆セットにおける実施例のスポイトの正面図である。
【図４】本発明の万年筆セットにおける実施例の潤滑剤を収容した容器の斜視図である。
【図５】本発明の万年筆セットにおける実施例の万年筆の軸筒用スタンドの斜視図である。
【図６】本発明の万年筆セットにおける実施例のインキ止め式万年筆、スポイト、潤滑剤を収容した容器および万年筆の軸筒用スタンドを収納箱に収納した状態を示す図である。
【図７】本発明の万年筆セットにおける実施例の万年筆の軸筒用スタンドの他の実施例を示す、万年筆の軸筒用スタンドの斜視図である。
【図８】図７における万年筆の軸筒用スタンドの、前軸用内カップ体と胴軸用内カップ体を前軸用挿入孔と胴軸用挿入孔より、受皿体を凹部より取り出した状態を示す図である。
【発明を実施するための最良の形態】
【００１８】
本発明は、インキ止め式万年筆、スポイト、潤滑剤を収容した容器および万年筆の軸筒用スタンドをセットとして提供する。
【実施例】
【００１９】
本発明の万年筆セットの実施例を図面を用いて説明するが、本発明は実施例に限定されるものではない。なお、図中の同じ部材、同じ箇所を示す場合は、同じ符号を付してある。
本発明の万年筆セットにおける図１〜図２に示すインキ止め式万年筆１は、前記したように万年筆本体２とキャップ３とで構成され、万年筆本体２は、ペン４と櫛溝５を有したペン芯６とからなるペン先部７を有した前軸８と、該前軸８に螺子嵌合により着脱自在に連接したインキを直に収容する胴軸（後軸ともいう）９を着脱自在に連接してもので、前軸８より離脱した胴軸９の先端の開口したインキ充填口１０よりインキを充填する構造のものである。胴軸９の内部には、前軸８の後端部８ａに形成したインキ導入口１１を開閉するための、先端に、前記インキ導入口１１の内壁面１２に密接に当接するシール部１３を設けた心棒１４を配してある。該心棒１４は、胴軸９の後端部９ａに固着したパッキンホルダー１５に該パッキンホルダー１５に設けた前側弾性パッキン１６と後側弾性パッキン１７により密接に当接して移動可能に挿入し、心棒１４の後端を胴軸９の後端に配した尾冠１８に固定した螺子駒１９に挿通して、心棒１４の後端にナット２０を螺着することで、心棒１４を尾冠１８に連動して移動可能に設けてある。
【００２０】
筆記する際は、図２の（ｂ）に示すように、尾冠１８を胴軸９の後端から引き抜くように後退（図において右側）させ、心棒１４のシール部１３を前軸８のインキ導入口１１の内壁面１２より離間させてインキ導入口１１を開口し、胴軸９内のインキをペン先部７に供給する構造である。
【００２１】
前軸８と胴軸９の螺子嵌合部２１からインキが流出するのを防止するために、螺子嵌合部２１の前方または後方の前軸８と胴軸９との間に弾性体のパッキン部材２２を配してある。
【００２２】
本発明の万年筆セットにおけるスポイト３０は、図３に示すように、一般的に知られているもので、ガラス製のスポイト本体３１とゴム製の吸引部３２で構成されたものである。
【００２３】
本発明の万年筆セットにおける潤滑剤４０は、図４に示すように、円形状に形成された本体４１と該本体４１に着脱自在に螺着する蓋４２とで構成された容器４３に収容してある。
【００２４】
本発明の万年筆セットにおける万年筆の軸筒用スタンド５０は、図５に示すように、直方体形状のスタンド本体５１の上面５２に、インキ止め式万年筆１のペン先部７を有した前軸８とインキを直に収容する胴軸９を、スタンド本体５１の底面５３に対して垂直に立てた状態で保持可能となるように、ペン先部７側を挿入する前軸用挿入孔５４と、胴軸９のインキ充填口１０側と反対側を挿入する胴軸用挿入孔５５をスタンド本体５１の底面５３に対して垂直となるように設けてある。また、上面５２には、前記胴軸９にインキを注入するためのスポイト３０を載置するための凹部５６を設けてある。凹部５６は、スポイト３０を載置した際にスポイト３０を掴んで取り出しやすいように、長手方向の中央部に幅広部５７を設けてある。
【００２５】
スタンド本体５１の底面５３には、図示してないが、四隅にフェルト製の脚部を貼着して設けてある。
【００２６】
図６は、前記万年筆１、スポイト３０、潤滑剤４０を収容した容器４３および万年筆の軸筒立てスタンド５０を１つの収納箱１００に収納して、セットとしたもので、万年筆１、スポイト３０、潤滑剤４０を収容した容器４３は、布地１０１で被覆した固定台座１０２の各々の収容凹部１０３、１０４，１０５に収納し、万年筆の軸筒立てスタンド５０は収納箱１００直に収納してある。
【００２７】
図７〜図８は、本発明の万年筆セットにおける万年筆の軸筒用スタンドの他の実施例の万年筆の軸筒用スタンド６０を示し、前記の実施例の万年筆の軸筒用スタンド５０と同様にして設けてあり、違いは、図８に示すように、前記前軸用挿入孔５４に、底部６１を閉塞したポリエチレン製の前軸用内カップ体６２を着脱自在に嵌着してあり、前記胴軸用挿入孔５５にも、底部６３を閉塞したポリエチレンで形成した胴軸用内カップ体６４を着脱自在に嵌着してある。前軸用内カップ体６２および胴軸用内カップ体６４には、前軸用挿入孔５４や胴軸用挿入孔５５から抜き出し易いように、指で掴めるように、スタンド本体５１の上面より突出し外径を前軸用挿入孔５４や胴軸用挿入孔５５より大径とした挟持部６５、６６を設けてあり、前記凹部５６には、ポリエチレンで形成した受皿体６７を着脱自在に嵌着してある。それ以外は、前記万年筆の軸筒用スタンド５０と同様に形成して設けてある。
【００２８】
本実施例の万年筆の軸筒用スタンド６０は、インキ止め式万年筆１へのインキの補給の際に、前軸８や胴軸９を前軸用内カップ体６２や胴軸用内カップ体６４に挿着した際に、あるいは胴軸９にインキを充填する際に使用したインキで汚れたスポイト３０を受皿体６７に載置して、前軸用内カップ体６２や胴軸用内カップ体６４や受皿体６７がインキで汚れても、それらを容易に洗浄することができる。
【産業上の利用可能性】
【００２９】
ペン先部を先端に有した前軸とインキを直に収容する胴軸を着脱自在に連接し、前軸より離脱した胴軸の開口したインキ充填口よりインキを充填するインキ止め式万年筆において、インキを胴軸を充填する際に、周りをインキで汚さないように、かつ作業性がよくなるようにしたいときに適用できる。
【符号の説明】
【００３０】
１  インキ止め式万年筆
７  ペン先部
８  前軸
９  胴軸
１０  インキ充填口
３０  スポイト
４３  容器
５０、６０  万年筆の軸筒用スタンド
５１  スタンド本体
５３  底面
５４  前軸用挿入孔
５５  胴軸用挿入孔
５６  凹部
６２  前軸用内カップ体
６４  胴軸用内カップ体
６７  受皿体
１００  収納箱
【図１】
2011073419.tif 000003
【図２】
2011073419.tif 000004
【図３】
2011073419.tif 000005
【図４】
2011073419.tif 000006
【図５】
2011073419.tif 000007
【図６】
2011073419.tif 000008
【図７】
2011073419.tif 000009
【図８】
2011073419.tif 000010